(57)【要約】【課題】サムネイル画像によるページ内容の確認作業の手間や時間の低減を図り、使い勝手を向上させること。【解決手段】原稿ページデータ及び出力条件が設定されたプリントジョブが実行された際の出力形態を確認するためのサムネイル画像を表示するプレビュー画面Ｇ２を表示し、プリントジョブに設定された出力条件に基づくサムネイル画像の画像遷移単位の指示を受け付ける操作表示部３０と、操作表示部３０により入力された画像遷移単位の指示に応じてサムネイル画像を生成し、当該サムネイル画像を表示させる制御部１１０と、を備える画像表示装置。【選択図】図７
2009080551.tif 000002
【特許請求の範囲】
【請求項１】
原稿ページデータ及び出力条件が設定されたプリントジョブが実行される際の出力形態を確認するためのサムネイル画像を表示する表示部と、
前記プリントジョブに設定された出力条件に基づく前記表示部に表示されるサムネイル画像の画像遷移単位の指示を受け付ける入力部と、
前記入力部により入力された画像遷移単位の指示に応じて前記サムネイル画像を生成し、当該サムネイル画像を前記表示部に表示させる制御部と、
を備える画像表示装置。
【請求項２】
前記出力条件は、前記プリントジョブの出力単位である部を示す項目を含み、
当該部を示す項目の出力条件に基づく前記画像遷移単位は、部単位である、
請求項１に記載の画像表示装置。
【請求項３】
前記出力条件は、前記プリントジョブの原稿ページデータの区切りである章を示す項目を含み、
当該章を示す項目の出力条件に基づく前記画像遷移単位は、章単位である、
請求項１又は２に記載の画像表示装置。
【請求項４】
前記出力条件は、前記プリントジョブが実行される際に原稿ページデータが画像形成される用紙が挿入用紙か否かを示す項目を含み、
当該挿入用紙を示す項目の出力条件に基づく前記画像遷移単位は、挿入用紙単位である、
請求項１から３のいずれか一項に記載の画像表示装置。
【請求項５】
前記出力条件は、前記プリントジョブの後処理の区切りを示す項目を含み、
当該後処理の区切りを示す項目の出力条件に基づく前記画像遷移単位は、後処理の区切り単位である、
請求項１から４のいずれか一項に記載の画像表示装置。
【請求項６】
原稿ページデータ及び出力条件が設定されたプリントジョブが実行される際の出力形態を確認するためのサムネイル画像を表示する表示部、
前記プリントジョブに設定された出力条件に基づく前記表示部に表示されるサムネイル画像の画像遷移単位の指示を受け付ける入力部、
前記入力部により受け付けられた画像遷移単位の指示を送信する送信部、
を有する外部装置と、
前記送信部から送信された前記画像遷移単位の指示を受信する受信部、
前記入力部により入力された画像遷移単位の指示に基づいて前記サムネイル画像を生成し、当該サムネイル画像を前記表示部に表示させる制御部、
を有する画像表示装置と、
を備える画像表示システム。
【発明の詳細な説明】
【技術分野】
【０００１】
本発明は、画像表示装置及び画像表示システムに関する。
【背景技術】
【０００２】
近年、プリントジョブを実行して画像形成を行う際、プリントジョブを実行する前に、プリントジョブにより画像形成される用紙のイメージ画像（サムネイル画像）をプレビュー表示させ、プリントジョブの内容を確認してから画像形成を行わせる技術が知られている。
【０００３】
プレビュー表示の技術としては、先頭ページのサムネイル画像を表示して１ページずつめくっていきながら内容を確認したり、ユーザが指定したページのサムネイル画像を最初に表示したり、ユーザが指定した内容が連続する部分を表示したりする技術が開示されている（特許文献１参照）。
【特許文献１】特開２００６−２０６３４７号公報
【発明の開示】
【発明が解決しようとする課題】
【０００４】
しかしながら、従来の技術のように、１ページずつめくっていきながら確認を行なうと、確認の必要のないページまでも表示することとなり、確認に要する作業時間がかる。また、ユーザがページ番号や内容を指示する場合でも、ユーザは確認したい内容の部分やページ番号を予め覚えておく必要があるため、ユーザによって使い勝手が悪いという問題がある。また、プリントジョブのページ数が大量なページ数である場合には、１ページずつ確認を行なっていては、時間がかかると共に、確認漏れが発生しやすくなるという問題がある。
【０００５】
本発明の課題は、上記問題に鑑みて、サムネイル画像によるページ内容の確認作業の手間や時間の低減を図り、使い勝手を向上させることである。
【課題を解決するための手段】
【０００６】
請求項１に記載の発明によれば、原稿ページデータ及び出力条件が設定されたプリントジョブが実行される際の出力形態を確認するためのサムネイル画像を表示する表示部と、前記プリントジョブに設定された出力条件に基づく前記表示部に表示されるサムネイル画像の画像遷移単位の指示を受け付ける入力部と、前記入力部により入力された画像遷移単位の指示に応じて前記サムネイル画像を生成し、当該サムネイル画像を前記表示部に表示させる制御部と、を備える画像表示装置が提供される。
【０００７】
請求項２に記載の発明によれば、請求項１に記載の画像表示装置において、前記出力条件は、前記プリントジョブの出力単位である部を示す項目を含み、当該部を示す項目の出力条件に基づく前記画像遷移単位は、部単位である。
【０００８】
請求項３に記載の発明によれば、請求項１又は２に記載の画像表示装置において、前記出力条件は、前記プリントジョブの原稿ページデータの区切りである章を示す項目を含み、当該章を示す項目の出力条件に基づく前記画像遷移単位は、章単位である。
【０００９】
請求項４に記載の発明によれば、請求項１から３のいずれか一項に記載の画像表示装置において、前記出力条件は、前記プリントジョブが実行される際に原稿ページデータが画像形成される用紙が挿入用紙か否かを示す項目を含み、
当該挿入用紙を示す項目の出力条件に基づく前記画像遷移単位は、挿入用紙単位である。
【００１０】
請求項５に記載の発明によれば、請求項１から４のいずれか一項に記載の画像表示装置において、前記出力条件は、前記プリントジョブの後処理の区切りを示す項目を含み、当該後処理の区切りを示す項目の出力条件に基づく前記画像遷移単位は、後処理の区切り単位である。
【００１１】
請求項６に記載の発明によれば、原稿ページデータ及び出力条件が設定されたプリントジョブが実行される際の出力形態を確認するためのサムネイル画像を表示する表示部、前記プリントジョブに設定された出力条件に基づく前記表示部に表示されるサムネイル画像の画像遷移単位の指示を受け付ける入力部、前記入力部により受け付けられた画像遷移単位の指示を送信する送信部、を有する外部装置と、前記送信部から送信された前記画像遷移単位の指示を受信する受信部、前記入力部により入力された画像遷移単位の指示に基づいて前記サムネイル画像を生成し、当該サムネイル画像を前記表示部に表示させる制御部、を有する画像表示装置と、を備える画像表示システムが提供される。
【発明の効果】
【００１２】
請求項１、６に記載の発明によれば、プリントジョブに設定された出力条件に基づくサムネイル画像の画像遷移単位の指示に応じて生成されたサムネイル画像を表示することができるため、サムネイル画像によるページ内容の確認作業の手間や時間の低減を図ることができ、使い勝手を向上させることができる。
【００１３】
請求項２に記載の発明によれば、請求項１と同様の効果を得られるのは勿論のこと、部単位でのサムネイル画像によるページ内容の確認作業を行なうことができる。
【００１４】
請求項３に記載の発明によれば、請求項１又は２と同様の効果を得られるのは勿論のこと、章単位でのサムネイル画像によるページ内容の確認作業を行なうことができる。
【００１５】
請求項４に記載の発明によれば、請求項１から３のいずれか一項と同様の効果を得られるのは勿論のこと、挿入用紙単位でのサムネイル画像によるページ内容の確認作業を行なうことができる。
【００１６】
請求項５に記載の発明によれば、請求項１から４のいずれか一項と同様の効果を得られるのは勿論のこと、後処理の区切り単位でのサムネイル画像によるページ内容の確認作業を行なうことができる。
【発明を実施するための最良の形態】
【００１７】
以下、図を参照して本発明の実施の形態を詳細に説明する。
まず、構成を説明する。
図１に、本実施の形態における画像表示システムＡの構成を示す。
【００１８】
図１に示すように、画像表示システムＡは、外部装置１と画像形成装置２とを備え、各装置はネットワークＮを介して通信可能に接続されている。なお、図１には、１台の外部装置１と３台の画像形成装置２が接続された例を示したが、各装置の設置台数は特に限定しない。
【００１９】
外部装置１は、画像形成装置２を遠隔操作することを目的とし、例えば、外部装置１から画像形成装置２を制御してプリント処理を実行させる場合に、外部装置１はプリント時に設定された各種設定条件及び画像データを画像形成装置２に送信する。外部装置１としては、例えば、汎用のＰＣ等の情報処理装置が適用可能である。
【００２０】
画像形成装置２は、用紙上に画像を形成する画像形成機能と、画像が形成された用紙に対して穴あけ処理、ステイプル処理、折り処理、断裁処理等の後処理機能とを併せ持ち、装置本体に設けられた操作表示部からの設定指示又は外部装置１から送信される各種設定指示に従って処理を行う装置である。
【００２１】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００２２】
まず、外部装置１について説明する。
図２に、外部装置１の内部構成図を示す。
図２に示すように、外部装置１は、制御部１１、記憶部１２、ＲＡＭ（Random Access Memory）１３、操作部１４、表示部１５、通信部１６等を備え、各部はバス１７等を介して互いに通信可能に接続されている。
【００２３】
制御部１１は、ＣＰＵ（Central Processing Unit）等を備え、記憶部１２に記憶されているシステムプログラム、各種制御プログラム、各種データ等をＲＡＭ１３内に展開し、これらのプログラム及びデータとの協働により、外部装置１の動作全般を統括的に制御する。また、制御部１１は、ＲＡＭ１３に展開したプログラムに従って各種処理を実行し、その処理結果をＲＡＭ１３に格納するとともに、表示部１５に表示させる。そして、ＲＡＭ１３に格納した処理結果を記憶部１２の所定の保存先に保存させる。
【００２４】
また制御部１１は、記憶部１２に記憶されたアプリケーションソフトプログラムやプリンタドライバを実行させるプリンタドライバプログラム１２ａ及び各種データの協働によってプリント制御処理等を実行し、その処理結果をＲＡＭ１３に格納するとともに、表示部１５に表示する。
【００２５】
記憶部１２は、ＲＯＭ（Read Only Memory）やＨＤＤ（Hard Disk Drive）等の不揮発性の記憶媒体を備え、この記憶媒体内に、制御部１１により実行されるシステムプログラム、各種制御プログラム、各種アプリケーションプログラム、プリンタドライバプログラム１２ａ及びこれらのプログラムに係るデータ等を記憶している。
【００２６】
ＲＡＭ１３は、制御部１１によって実行される各種プログラム及びこれらに係るデータを一時的に記憶するワークエリアを形成する。
【００２７】
操作部１４は、外部装置１内及び画像形成装置２に対する動作指示を入力するための数字キー、文字キー、カーソル移動キー及び各種機能キー等から構成されたキーボードと、マウス等のポインティングデバイスとを備えて構成される。操作部１４は、キーボードによる押下信号とマウスによる操作信号とを入力信号として制御部１１に出力する。
【００２８】
表示部１５は、ＬＣＤ（Liquid Crystal Display）等を備えて構成され、制御部１１から入力される表示信号に従って表示画面上に各種設定画面の表示を行う。
【００２９】
通信部１６は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェイスを備えて構成され、ネットワークＮ上の画像形成装置等と相互に情報の送受信を行う。また、通信部１６は、操作部１４により受け付けられた後述する画像遷移単位の指示を画像形成装置２に送信する送信部として機能する。
【００３０】
図３、４に、表示部１５の表示画面上に表示される各種画面の例を示す。各種画面は、画像形成装置２にプリント処理を実行させる際に表示される画面である。図３に、セットアップ画面Ｇ１、図４に、プレビュー画面Ｇ２の例を示す。
【００３１】
図３に示すセットアップ画面Ｇ１には、複数の原稿ページデータからなる画像データと当該原稿ページデータの出力条件は設定されたプリントジョブを実行する際において、原稿ページデータの向きやサイズ、画像形成させる用紙等の設定を受け付ける用紙設定エリアＥ１１、プリントジョブの出力総部数や画像形成された用紙の排出先（排紙トレイ）等の設定を受け付ける出力設定エリアＥ１２、用紙設定エリアＥ１１及び出力設定エリアＥ１２により設定された内容に基づいてプリントジョブの出力形態の簡易的なプリントイメージ画像を表示するプレビューエリアＥ１３、プレビュー画面Ｇ２を表示させるプレビュー釦Ｂ１等を有する。
【００３２】
プリントジョブの出力条件としては、プリントジョブの出力単位である部、プリントジョブの原稿ページデータの区切りである章、プリントジョブが実行される際に原稿ページデータに基づく画像（白紙画像も含む）が画像形成される用紙が挿入用紙か否かを示す項目、プリントジョブの後処理の区切り等を示す項目を含む。
【００３３】
図４に示すプレビュー画面Ｇ２は、原稿ページデータ及び出力条件からなるプリントジョブが実行された際の選択された原稿ページデータの出力形態を確認するため、当該選択された原稿ページデータのサムネイル画像を表示する画面である。
【００３４】
図４に示すプレビュー画面Ｇ２には、サムネイル画像の画像遷移単位の指示を受け付ける画像遷移単位エリアＥ２１、画像遷移先の指示を受け付ける画像遷移先エリアＥ２２、サムネイル画像表示エリアＥ２３、カウンタ表示部Ｅ２４を有する。
【００３５】
画像遷移単位エリアＥ２１は、プリントジョブの出力条件の各項目に対応する釦を有する。当該釦としては、部釦Ｂ２１ａ、章釦Ｂ２１ｂ、挿入紙釦Ｂ２１ｃ、サブセット釦Ｂ２１ｄ、原稿ページ釦Ｂ２１ｅ、用紙ページ釦Ｂ２１ｆであり、いずれか一つの釦が選択可能となっている。
【００３６】
部釦Ｂ２１ａは、画像遷移単位をプリントジョブの出力単位である部単位とする指示を受け付ける釦である。章釦Ｂ２１ｂは、画像遷移単位をプリントジョブの原稿ページデータの区切りである章単位とする指示を受け付ける釦である。挿入紙釦Ｂ２１ｃは、画像遷移単位をプリントジョブが実行される際に挿入される挿入用紙単位とする指示を受け付ける釦である。サブセット釦Ｂ２１ｄは、画像遷移単位をプリントジョブの後処理の区切り（サブセット）単位とする指示を受け付ける釦である。原稿ページ釦Ｂ２１ｅは、画像遷移単位を原稿ページデータ単位とする指示を受け付ける釦である。用紙ページ釦Ｂ２１ｆは、画像遷移単位を用紙ページ単位とする指示を受け付ける釦である。
【００３７】
画像遷移先エリアＥ２２は、先頭釦Ｂ２２ａ、１つ前釦Ｂ２２ｂ、１つ後釦Ｂ２２ｃ、最終釦Ｂ２２ｄ、番号指定釦Ｂ２２ｅを有し、いずれか一つの釦が選択可能となっている。
【００３８】
先頭釦Ｂ２２ａは、画像遷移単位エリアＥ２１から選択された画像遷移単位の先頭に位置する画像遷移単位の用紙ページの表示の指示を受け付ける釦である。１つ前釦Ｂ２２ｂは、画像遷移単位エリアＥ２１から選択された画像遷移単位であって、現在表示されている画像遷移単位の１つ前に位置する画像遷移単位の用紙ページの表示の指示を受け付ける釦である。１つ後釦Ｂ２２ｃは、画像遷移単位エリアＥ２１から選択された画像遷移単位であって、現在表示されている画像遷移単位の１つ後に位置する画像遷移単位の用紙ページの表示の指示を受け付ける釦である。最終釦Ｂ２２ｄは、画像遷移単位エリアＥ２１から選択された画像遷移単位の最終に位置する画像遷移単位の用紙ページの表示の指示を受け付ける釦である。番号指定釦Ｂ２２ｅは、画像遷移単位エリアＥ２１から選択された画像遷移単位の当該番号指定釦Ｂ２２ｅに入力された番号に対応する位置の画像遷移単位の用紙ページの表示を受け付ける釦である。
【００３９】
サムネイル画像表示エリアＥ２３は、画像遷移単位エリアＥ２１及び画像遷移先エリアＥ２２により選択された釦の組み合わせに応じて生成されるサムネイル画像ＴＮが表示されている。
【００４０】
カウンタ表示部Ｅ２４は、サムネイル画像表示エリアＥ２３に現在表示されている用紙ページのページ番号が表示される。
【００４１】
本実施の形態において、表示部１５は、サムネイル画像を表示するプレビュー画面を表示する表示部として機能し、当該プレビュー画面上の画像遷移単位エリアＥ２１が有する各釦は、サムネイル画像の画像遷移単位の指示を受け付ける入力部として機能する。
【００４２】
次に、画像形成装置２について説明する。
図５に、画像形成装置２の概略断面構成図を示す。
画像形成装置２は、原稿から画像を読み取り、読み取った画像を用紙Ｐに画像形成したり、外部装置１等から画像データを含むプリントジョブを受信し当該プリントジョブに基づいて画像を用紙Ｐ上に形成する画像形成部と、画像が形成された用紙に対して、パンチ処理、ステイプル処理、折り処理、断裁処理等を施す後処理部等を備えたデジタル複合機である。図５に示すように、画像形成装置２は、画像読取部２０と、操作表示部３０と、プリント部４０と、後処理部５０と、を備えて構成される。
【００４３】
画像読取部２０は、ＡＤＦ（Auto Document Feeder）と称される自動原稿送り部２１と読取部２２とを備える。自動原稿送り部２１の原稿トレイＴ１に載置された原稿ｄは、読取部２２の読取個所であるコンタクトガラスに搬送され、読取部２２の光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００４４】
読取部２２により読み取られた画像（アナログ画像信号）は、後述する画像制御基板に出力され、画像制御基板においてＡ／Ｄ変換され各種画像処理が施された後、プリント部４０に出力される。
【００４５】
操作表示部３０は、ＬＣＤ（Liquid Crystal Display）、ＬＣＤを覆うように設けられたタッチパネル３１、その他図示しない操作キー群から構成され、ユーザの入力を受け付けその入力情報を画像制御基板に出力し、また、画像制御基板から入力される表示信号に従って、各種設定条件を入力するための各種設定画面や各種処理結果等を表示する。
【００４６】
操作表示部３０のタッチパネル３１上には、画像形成装置２にプリント処理を実行させる際に表示される画面が表示される。図４、６に、タッチパネル３１上に表示される各種画面の例を示す。図６に、ジョブ設定画面Ｇ３の例を示す。
【００４７】
図６に示すジョブ設定画面Ｇ３には、プリントジョブの出力総部数や画像形成する用紙の面を設定する部数／印刷面エリアＥ３１、プリントジョブの原稿ページデータの設定を行なう原稿設定エリアＥ３２、画質の設定を行なう画質設定エリアＥ３３、原稿ページデータの倍率を設定する倍率設定エリアＥ３４、搬出条件設定エリアＥ３５、画像形成された用紙の排出先（排紙トレイ）や後処理を設定する排紙設定エリアＥ３６、応用設定エリアＥ３７、プレビュー画面Ｇ２を表示させるプレビュー釦Ｂ３等を有する。
【００４８】
プレビュー釦Ｂ３が押下されることによりタッチパネル３１上に表示されるプレビュー画面は、図４に示すプレビュー画面Ｇ２と同様の画面であるため、図示及び説明は省略する。
【００４９】
プリント部４０は、入力されたプリントデータに基づいて、電子写真方式の画像形成処理を行うものであり、給紙部４１、給紙搬送部４２、画像形成部４３、搬出部４４を備えて構成される。
【００５０】
給紙部４１は、複数の給紙トレイ４１ａ、給紙手段４１ｂ、手差しトレイＴ２等を備える。給紙トレイ４１ａは、給紙トレイ４１ａ毎に色や紙種毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００５１】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００５２】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備えている。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００５３】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００５４】
後処理部５０は、画像が形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等を備える。各種処理が施された又は施されなかった用紙は、排紙トレイＴ３に排紙される。
【００５５】
図７に、画像形成装置２の制御ブロック図を示す。
図７に示すように、画像形成装置２は、本体部１ａとプリンタコントローラ１ｂと、本体部１ａに接続された後処理部５０から構成されている。画像形成装置２は、プリンタコントローラ１ｂのＬＡＮＩＦ（Local Area Network InterFace）１４ｂを介してネットワークＮ上の外部装置１と相互に情報の送受信が可能に接続されている。
【００５６】
本体部１ａは、画像読取部２０、操作表示部３０、プリント部４０、画像制御基板１００を備えて構成される。なお、図１で説明した各部と同一の構成には、同一の符号を付してその説明を省略する。
【００５７】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００５８】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置２の各部を集中制御する。
例えば、操作表示部３０や外部装置１から入力される指示信号に従って、コピーモード、プリンタモード、スキャナモードを切り替え、複写、プリント、画像データの読取等の制御を行う。
【００５９】
制御部１１０は、不揮発メモリ１２０から本実施の形態に係るサムネイル画像表示処理プログラムとＲＡＭ１３０からプリントジョブに関する各種データ等とを読み出して、当該プログラム及び各種データとの協働により、外部装置１又は操作表示部３０に表示されたプレビュー画面Ｇ２上の画像遷移単位エリアＥ２１から選択された釦に対応する指示、即ち、画像遷移単位の指示に基づいて、サムネイル画像を生成し、当該サムネイル画像をサムネイル画像表示エリアＥ２３に表示させる処理を制御する機能を実現する。
【００６０】
不揮発メモリ１２０は、画像形成に係る各種処理プログラム及びデータの他、本実施の形態に係るサムネイル画像表示処理プログラム及び各種プログラムで処理されたデータ等を記憶する。
【００６１】
ＲＡＭ１３０は、制御部１１０により実行される各種プログラム及びこれらプログラムに係るデータ、プリントジョブデータ、プリントジョブデータにより生成されるノードリスト等を一時的に記憶するワークエリアを形成する。
【００６２】
図８に、ノードリストＮＲの例を示す。
図８に示すように、ノードリストＮＲは、プリントジョブの原稿ページデータ単位で構成された複数の領域（ノード）Ｎ１、Ｎ２、Ｎ３…Ｎｎから構成されており、各ノードに対応する原稿ページデータに基づく画像が画像形成される順番で配列されている。
【００６３】
各ノードは、原稿ページデータ毎の出力条件の複数の項目に対する情報を記憶するための領域である。当該項目としては、画像遷移単位に対応する情報の項目がある。
画像遷移単位に対応する項目としては、原稿ページ番号Ｋ１、用紙ページ番号Ｋ２、部番号Ｋ３、章番号Ｋ５、挿入紙番号Ｋ６、サブセット番号Ｋ７である。また、各ノードは、部区切りＫ４、画像アドレスＫ８、次ノードアドレスＫ９、前ノードアドレスＫ１０等の項目を有する。
【００６４】
原稿ページ番号Ｋ１は、画像遷移単位として原稿ページ単位が選択された際に参照される項目である。原稿ページ番号Ｋ１には、原稿ページデータ、即ち、論理ページデータの番号が設定されており、各ノードには異なる値が設定されている。
【００６５】
用紙ページ番号Ｋ２は、画像遷移単位として用紙ページ単位が選択された際に参照される項目である。用紙ページ番号Ｋ２には、原稿ページ番号Ｋ１に対応する原稿ページデータが属する用紙ページの番号、即ち、物理ページの番号が設定されており、当該番号は、プリントジョブに設定された集約設定内容等により変化する。例えば、２枚の原稿ページデータを１面に集約する２ｉｎ１モードの場合、ノードＮ１、Ｎ２の用紙ページ番号は「１」となる。
【００６６】
部番号Ｋ３は、画像遷移単位として部単位が選択された際に参照される項目である。部番号Ｋ３は、画像遷移単位として部が選択された場合に有効となり、何部目であるかを示す値が設定される。なお、初期状態としては「１」が予め設定されている。
【００６７】
部区切りＫ４は、部の最終原稿ページデータである場合にＯＮに設定される。例えば、部単位で原稿ページ数が同じである場合には、最終の原稿ページデータのノードのみＯＮとなる。部単位で原稿ページデータ数が異なる場合には、ＯＮとなり得るノードは全ノードであり、各部毎に何部目の最終原稿ページデータである、即ち、部区切りＯＮである、という情報が設定されている。
【００６８】
章番号Ｋ５は、画像遷移単位として章単位が選択された際に参照される項目である。章番号Ｋ５には、原稿ページ番号Ｋ１に対応する原稿ページデータが属する章の番号が設定されている。
【００６９】
挿入紙番号Ｋ６は、画像遷移単位として挿入紙単位が選択された際に参照される項目である。挿入紙番号Ｋ６は、原稿ページ番号Ｋ１に対応する原稿ページデータに基づく画像（白紙画像も含む）が形成される用紙が挿入用紙である場合、ノードリストの先頭から数えて何番目の挿入用紙であるかを示す値が設定されている。挿入用紙でない場合には、「０」が設定されている。
【００７０】
サブセット番号Ｋ７は、画像遷移単位としてサブセット単位が選択された際に参照される項目である。サブセット番号Ｋ７は、原稿ページ番号Ｋ１に対応する原稿ページデータがステイプルや折り等の後処理の区切りである場合、ノードリストの先頭から数えて何番目の区切り（サブセット）であるかを示す値が設定されている。サブセットでない場合には、「０」が設定されている。
【００７１】
画像アドレスＫ８は、原稿ページ番号Ｋ１に対応する原稿ページデータが格納されている画像メモリ１７０のアドレスが設定されている。
【００７２】
次ノードアドレスＫ９は、ノードリストの配列順において１つ後に配列されたノードが格納されているメモリアドレスが設定されている。なお、最終のノードの次ノードアドレスＫ９は、設定なしの状態である。
【００７３】
前ノードアドレスＫ１０は、ノードリストの配列順において１つ前に配列されたノードが格納されているメモリアドレスが設定されている。なお、先頭のノードの前ノードアドレスＫ１０は、設定なしの状態である。
【００７４】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７５】
圧縮ＩＣ１５０は、入力されたデジタル画像データに圧縮処理を施してＤＲＡＭ制御ＩＣ１６０に出力する。
【００７６】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００７７】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００７８】
伸長ＩＣ１８０は、入力される圧縮画像データに伸長処理を施す。
【００７９】
書込処理部１９０は、ＤＲＡＭ制御ＩＣ１６０から入力された画像データに基づいて、画像形成のためのプリントデータを生成し、プリント部４０に出力する。
【００８０】
画像読取部２０は、ＣＣＤ２２ａ、画像読取制御部２００、その他ここでは図示しないが図５に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００８１】
操作表示部３０は、ＬＣＤ（Liquid Crystal Display）、ＬＣＤを覆うように設けられたタッチパネル３１、操作表示制御部３００、その他図示しないテンキー等の操作キー群から構成される。操作表示制御部３００は、制御部１１０から入力される表示信号に従って、各種設定条件を入力するための各種設定画面、図４及び６に示すような各種画面や各種処理結果等をＬＣＤに表示させる。また、操作表示制御部３００は、操作キー群又はタッチパネル３１から入力される操作信号を制御部１１０に出力する。
【００８２】
即ち、プレビュー画面Ｇ２を表示し画像遷移単位の指示を受け付ける操作表示部３０と、不揮発メモリ１２０、ＲＡＭ１３０、画像メモリ１７０との協働により、操作表示部３０より入力された画像遷移単位の指示に基づいてサムネイル画像を生成し、当該サムネイル画像をプレビュー画面Ｇ２上に表示させる制御部１１０とにより、本発明の画像表示装置が構成されるものである。
【００８３】
プリント部４０は、図５に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００８４】
次に、プリンタコントローラ１ｂの各部について説明する。プリンタコントローラ１ｂは、画像形成装置２をネットワークプリンタとして使用する場合に、ネットワークＮに接続される外部装置１から画像形成装置２に入力されるプリントジョブや画像遷移単位の指示を受信する受信部として機能すると共に、当該プリントジョブや画像遷移単位の指示の管理及び制御を行うものであり、外部装置１からプリント対象のデータを受信し、当該データをジョブデータとして本体部１ａへ送信する。
【００８５】
プリンタコントローラ１ｂは、コントローラ制御部１１ｂ、ＤＲＡＭ制御ＩＣ１２ｂ、画像メモリ１３ｂ、ＬＡＮＩＦ１４ｂから構成される。
【００８６】
コントローラ制御部１１ｂは、プリンタコントローラ１ｂ各部の動作を統括的に制御し、ＬＡＮＩＦ１４ｂを介して、外部装置１から入力されるデータ本体部１ａへ送信する。
【００８７】
ＤＲＡＭ制御ＩＣ１２ｂは、ＬＡＮＩＦ１４ｂにより受信されたデータの画像メモリ１３ｂへの格納や、画像メモリ１３ｂからのデータの読み出しを制御する。また、ＤＲＡＭ制御ＩＣ１２ｂは、画像制御基板１００のＤＲＡＭ制御ＩＣ１６０とＰＣＩ（Peripheral Components Interconnect）バスで接続されており、コントローラ制御部１１ｂからの指示に従って、プリント対象のデータを画像メモリ１３ｂから読み出してＤＲＡＭ制御ＩＣ１６０に出力する。
【００８８】
画像メモリ１３ｂは、ＤＲＡＭから構成され、入力されたデータを一時的に格納する。
【００８９】
ＬＡＮＩＦ１４ｂは、ＮＩＣ（Network Interface Card）やモデム等のＬＡＮ等のネットワークＮに接続するための通信インターフェイスであり、外部装置１からデータを受信する。受信されたデータは、ＤＲＡＭ制御ＩＣ１２ｂに出力される。
【００９０】
後処理部５０は、ソート部（不図示）、パンチ部（不図示）、ステイプル部、折り部、等の各種後処理ユニットと、各種後処理ユニットへ用紙を搬送する搬送ローラ等の搬送手段が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の処理ユニットに搬送し、各部を駆動制御して用紙Ｐに所定の後処理を行わせ、所定の排出トレイに排出する制御を行う。
【００９１】
次に、本実施の形態の動作を説明する。
図９〜１２に、本実施の形態におけるサムネイル画像表示処理のフローチャートを示す。図９、８に、サムネイル画像表示処理のメインフローチャートを示す。なお、図９、８に示すフローチャートは、制御部１１０によって実行される処理である。
【００９２】
制御部１１０は、まず、セットアップ画面Ｇ１上のプレビュー釦Ｂ１、又は、ジョブ設定画面Ｇ３上のプレビュー釦Ｂ３が押下されたか否かを判別する（ステップＳ１）。
【００９３】
制御部１１０は、プレビュー釦Ｂ１又はＢ３が押下された場合（ステップＳ１；Ｙｅｓ）、初期設定として、画像遷移単位として用紙ページ単位として設定し、ノードの参照する項目（参照項目）を当該設定された画像遷移単位に基づいて用紙ページ番号Ｋ２に設定する。
【００９４】
制御部１１０は、プレビュー釦Ｂ１又はＢ３が押下されていない場合（ステップＳ１；Ｎｏ）、プレビュー画面Ｇ２上の画像遷移単位エリアＥ２１のいずれかの釦及び画像遷移先エリアＥ２２のいずれかの釦の選択指示があるか否かを判別し（ステップＳ３）、当該選択指示がない場合（ステップＳ３；Ｎｏ）、ステップＳ１に戻る。
【００９５】
制御部１１０は、プレビュー画面Ｇ２上の画像遷移単位エリアＥ２１のいずれかの釦及び画像遷移先エリアＥ２２のいずれかの釦の選択指示がある場合（ステップＳ３；Ｙｅｓ）、画像遷移単位エリアＥ２１において選択された釦を画像遷移単位として設定し、当該画像遷移単位に対応するノードの項目を参照項目として設定する（ステップＳ４）。
【００９６】
制御部１１０は、現在、プレビュー画面上に表示されているサムネイル画像を形成する原稿ページデータのうち先頭の原稿ページデータのノード、即ち、サムネイル画像を形成する原稿ページデータのノードのうち、原稿ページ番号が最も小さいノードにおいて、ステップＳ４において設定された参照項目に対応する項目の値を参照値として設定する（ステップＳ５）。この参照値は、各ノードの参照項目が示す値のうち着目する値である。
【００９７】
制御部１１０は、ステップＳ２後又はステップＳ５後、図１１、１２に示す参照値決定処理を実行する（ステップＳ６）。
【００９８】
制御部１１０は、参照値決定処理後（ステップＳ６後）、参照するノードのアドレス（参照ノードアドレス）をノードリストのうち先頭のノードのアドレスに設定し（ステップＳ７）、参照項目が部番号であるか否かを判別し（ステップＳ８）、参照項目が部番号である場合（ステップＳ８；Ｙｅｓ）、全てのノードの参照項目の値を参照値の値に設定し（ステップＳ９）、ステップＳ１８に進む。
【００９９】
制御部１１０は、参照項目が部番号でない場合（ステップＳ８；Ｎｏ）、参照アドレスに対応するノードの参照項目の値が参照値であるか否かを判別し（ステップＳ１０）、参照アドレスに対応するノードの参照項目の値が参照値である場合（ステップＳ１０；Ｙｅｓ）、ステップＳ１８に進む。
【０１００】
制御部１１０は、参照アドレスに対応するノードの参照項目に値が参照値でない場合（ステップＳ１０；Ｎｏ）、参照アドレスに対応するノードの部番号及び部区切りの項目を参照し、部番号の値に対応する部区切りの値がＯＮであるか否かを判別する（ステップＳ１１）。例えば、部単位で原稿ページデータの数が異なる場合であって、プリントジョブが２部の場合、１部目の区切りと２部目の区切りは異なるノードに設定されている。この場合、部番号の項目に２が設定されている場合には、部区切りの項目では２部目に対応する値が参照される。
【０１０１】
制御部１１０は、参照アドレスに対応するノードの部番号の値に対応する部区切りの値がＯＮではない、即ち、ＯＦＦである場合（ステップＳ１１；Ｎｏ）、当該参照アドレスに対応するノードに設定されている次ノードアドレスのアドレスを参照アドレスとして設定し（ステップＳ１２）、ステップＳ１０に戻る。
【０１０２】
制御部１１０は、参照アドレスに対応するノードの部番号の値に対応する部区切りの値はＯＮである場合（ステップＳ１１；Ｙｅｓ）、参照項目は、章番号、原稿ページ番号、用紙ページ番号のいずれかであるかを判別する（ステップＳ１３）。
【０１０３】
制御部１１０は、参照項目が、章番号、原稿ページ番号、用紙ページ番号のいずれかである場合（ステップＳ１３；Ｙｅｓ）、ステップＳ１１において部区切りがＯＮであると判別されたノードからノードリストの先頭に向かう順番（ノードの原稿ページ番号が小さくなる方向の順番）で、部区切りがＯＮであると判別されたノードの参照項目の値と異なる参照項目のノードを検索し（ステップＳ１４）、ステップＳ１４において検索されたノードの１つ後に配列されたノードのアドレス、即ち、検索されたノードの次ノードアドレスが示すノードアドレスを参照アドレスとして設定し（ステップＳ１５）、ステップＳ１８に進む。
【０１０４】
制御部１１０は、参照項目が、章番号、原稿ページ番号、用紙ページ番号のいずれかでない場合、即ち、挿入紙番号又はサブセット番号である場合（ステップＳ１３；Ｎｏ）、ステップＳ１１において部区切りがＯＮであると判別されたノードからノードリストの先頭に向かう順番（ノードの原稿ページ番号が小さくなる方向の順番）で、部区切りがＯＮであると判別されたノードの参照項目の値と異なる参照項目のノードを検索し（ステップＳ１６）、ステップＳ１６において検索されたノードのアドレスを参照アドレスとして設定し（ステップＳ１７）、ステップＳ１８に進む。
【０１０５】
制御部１１０は、ステップＳ９、ステップＳ１０；Ｙｅｓ、ステップＳ１５又はステップＳ１７後、参照アドレスに対応するノードに設定されている画像アドレスを参照し、当該画像アドレスに格納されている原稿ページデータを読み出し、当該読み出した原稿ページデータに基づく原稿画像を生成する（ステップＳ１８）。
【０１０６】
制御部１１０は、参照アドレスに対応するノードが属する用紙ページ分の原稿画像の生成が完了したか否かを判別し（ステップＳ１９）、参照アドレスに対応するノードが属する用紙ページ分の原稿画像の生成が完了していない場合（ステップＳ１９；Ｎｏ）、参照アドレスのノードの部区切りはＯＮか否かを判別する（ステップＳ２０）。
【０１０７】
制御部１１０は、参照アドレスのノードの部区切りがＯＮでない場合、即ち、ＯＦＦである場合（ステップＳ２０；Ｎｏ）、当該参照アドレスに対応するノードに設定されている次ノードアドレスのアドレスを参照アドレスとして設定し（ステップＳ２１）、ステップＳ１８に戻る。
【０１０８】
制御部１１０は、参照アドレスのノードの部区切りがＯＮである場合（ステップＳ２０；Ｙｅｓ）、本処理の実行が不可能であるものとしてエラー情報の報知等のエラー処理を実行し（ステップＳＳ２２）、本処理を終了する。
【０１０９】
制御部１１０は、参照アドレスに対応するノードが属する用紙ページ分の原稿画像の生成が完了した場合（ステップＳ１９；Ｙｅｓ）、当該生成された原稿画像に基づくサムネイル画像を生成し（ステップＳＳ２３）、生成したサムネイル画像をプレビュー画面Ｇ２上に表示させ（ステップＳ２４）、本処理を終了する。
【０１１０】
図１１、１２に、ステップＳ６において実行される参照値決定処理のフローチャートを示す。図１１、１２に示すフローチャートは、制御部１１０によって実行される処理である。
【０１１１】
制御部１１０は、参照項目が部番号か否かを判別する（ステップＳ３１）。
制御部１１０は、参照番号が部番号である場合（ステップＳ３１；Ｙｅｓ）、画像遷移先エリアＥ２２において選択された釦の指示に基づいて、参照値を設定する（ステップＳ３２）。
【０１１２】
ステップＳ３２における参照値の設定としては、先頭釦Ｂ２２ａが選択された場合には、参照値を１に設定する。１つ前釦Ｂ２２ｂが選択された場合には、参照値を現在設定されている参照値から１を差分した値に設定する。１つ後釦Ｂ２２ｃが選択された場合には、参照値を現在設定されている参照値から１を加算した値に設定する。最終釦Ｂ２２ｄが選択された場合には、参照値をプリントジョブに設定された出力総部数の値に設定する。番号指定釦Ｂ２２ｅが選択された場合には、参照値を当該釦に入力された値に設定する。
【０１１３】
制御部１１０は、ステップＳ３２後、参照値が０か否かを判別し（ステップＳ３３）、参照値が０である場合（ステップＳ３３；Ｙｅｓ）、参照値を１に設定し（ステップＳ３４）、本処理を終了する。
【０１１４】
制御部１１０は、参照値が０でない場合（ステップＳ３３；Ｎｏ）、参照値が出力総部数よりも大きい値か否かを判別し（ステップＳ３５）、参照値が出力部数以下である場合（ステップＳ３５；Ｎｏ）、本処理を終了する。
【０１１５】
制御部１１０は、参照値が出力総部数よりも大きい値である場合（ステップＳ３５；Ｙｅｓ）、参照値を出力総部数の値に設定し（ステップＳ３６）、本処理を終了する。
【０１１６】
制御部１１０は、参照番号が部番号でない場合（ステップＳ３１；Ｎｏ）、画像遷移先エリアＥ２２において選択された釦が最終釦Ｂ２２ｄか否かを判別する（ステップＳ３７）。
【０１１７】
制御部１１０は、画像遷移先エリアＥ２２において選択された釦が最終釦Ｂ２２ｄである場合（ステップＳ３７；Ｙｅｓ）、参照項目が、章番号、原稿ページ番号、用紙ページ番号のいずれかであるかを判別する（ステップＳ３８）。
【０１１８】
制御部１１０は、参照項目が、章番号、原稿ページ番号、用紙ページ番号のいずれかである場合（ステップＳ３８；Ｙｅｓ）、ノードリストの先頭ノードから最終ノードに向かう順番で、各ノードの部番号及び部区切りの項目を参照し、部番号の値に対応する部区切りがＯＮであるノードを検索し（ステップＳ３９）、ステップＳ３９において検索されたノードのアドレスを参照アドレスとして設定し（ステップＳ４０）、ステップＳ４４に進む。
【０１１９】
制御部１１０は、参照項目が、章番号、原稿ページ番号、用紙ページ番号のいずれかでない場合、即ち、挿入紙番号又はサブセット番号である場合（ステップＳ３８；Ｎｏ）、ノードリストの先頭ノードから最終ノードに向かう順番で、各ノードの部番号及び部区切りの項目を参照し、部番号の値に対応する部区切りがＯＮであるノードを検索し（ステップＳ４１）、ステップＳ４１において検索されたノードからノードリストの先頭に向かう順番（ノードの原稿ページ番号が小さくなる方向の順番）で参照項目の値が０以外の値となるノードを検索し（ステップＳ４２）、ステップＳ４２において検索されたノードのアドレスを参照アドレスとして設定し（ステップＳ４３）、ステップＳ４４に進む。
【０１２０】
制御部１１０は、ステップＳ４０又はステップＳ４３において設定された参照アドレスに対応するノードの参照項目が示す値を参照値として設定し（ステップＳ４４）、本処理を終了する。
【０１２１】
制御部１１０は、画像遷移先エリアＥ２２において選択された釦が最終釦Ｂ２２ｄでない場合（ステップＳ３７；Ｎｏ）、参照項目が、章番号、原稿ページ番号、用紙ページ番号のいずれかであるかを判別する（ステップＳ４５）。
【０１２２】
制御部１１０は、参照項目が、章番号、原稿ページ番号、用紙ページ番号のいずれかである場合（ステップＳ４５；Ｙｅｓ）、プレビュー釦Ｂ１、Ｂ３の選択指示、又は、画像遷移先エリアＥ２２において選択された釦の指示に基づいて、参照値を設定する（ステップＳ４６）。
【０１２３】
ステップＳ４６における参照値の設定としては、先頭釦Ｂ２２ａが選択された場合には、参照値を１に設定する。１つ前釦Ｂ２２ｂが選択された場合には、参照値を現在設定されている参照値から１を差分した値に設定する。１つ後釦Ｂ２２ｃが選択された場合には、参照値を現在設定されている参照値から１を加算した値に設定する。番号指定釦Ｂ２２ｅが選択された場合には、参照値を当該釦に入力された値に設定する。プレビュー釦Ｂ１又はＢ３が選択された場合には、参照値を１に設定する。
【０１２４】
制御部１１０は、ステップＳ４６後、参照値が０か否かを判別し（ステップＳ４７）、参照値が０でない場合（ステップＳ４７；Ｎｏ）、本処理を終了する。
【０１２５】
制御部１１０は、参照値が０である場合（ステップＳ４７；Ｙｅｓ）、参照値を１に設定し（ステップＳ４８）、本処理を終了する。
【０１２６】
制御部１１０は、参照項目が、章番号、原稿ページ番号、用紙ページ番号のいずれかでない場合、即ち、挿入紙番号又はサブセット番号である場合（ステップＳ４５；Ｎｏ）、画像遷移先エリアＥ２２において選択された釦が先頭釦Ｂ２２ａか否かを判別する（ステップＳ４９）。
【０１２７】
制御部１１０は、画像遷移先エリアＥ２２において選択された釦が先頭釦Ｂ２２ａである場合（ステップＳ４９；Ｙｅｓ）、参照値を１に設定し（ステップＳ５０）、本処理を終了する。
【０１２８】
制御部１１０は、画像遷移先エリアＥ２２において選択された釦が先頭釦Ｂ２２ａでない場合（ステップＳ４９；Ｎｏ）、１つ前釦Ｂ２２ｂか否かを判別する（ステップＳ５１）。
【０１２９】
制御部１１０は、画像遷移先エリアＥ２２において選択された釦が１つ前釦Ｂ２２ｂである場合（ステップＳ５１；Ｙｅｓ）、現在、プレビュー画面上に表示されているサムネイル画像を形成する原稿ページデータのうち先頭の原稿ページデータのノード、即ち、サムネイル画像を形成する原稿ページデータのノードのうち、原稿ページ番号が最も小さいノードを特定する（ステップＳ５２）。
【０１３０】
制御部１１０は、ステップＳ５２において特定したノードからノードリストの先頭に向かう順番（ノードの原稿ページ番号が小さくなる方向の順番）で参照項目の値が０以外の値となるノードを検索し（ステップＳ５３）、ステップＳ５７に進む。
【０１３１】
制御部１１０は、画像遷移先エリアＥ２２において選択された釦が１つ前釦Ｂ２２ｂでない場合（ステップＳ５１；Ｎｏ）、１つ後釦Ｂ２２ｃか否かを判別する（ステップＳ５４）。
【０１３２】
制御部１１０は、画像遷移先エリアＥ２２において選択された釦が１つ後釦Ｂ２２ｃである場合（ステップＳ５４；Ｙｅｓ）、現在、プレビュー画面上に表示されているサムネイル画像を形成する原稿ページデータのうち先頭の原稿ページデータのノード、即ち、サムネイル画像を形成する原稿ページデータのノードのうち、原稿ページ番号が最も小さいノードを特定する（ステップＳ５５）。
【０１３３】
制御部１１０は、ステップＳ５５において特定したノードからノードリストの最終に向かう順番（ノードの原稿ページ番号が大きくなる方向の順番）で参照項目の値が０以外の値となるノードを検索し（ステップＳ５６）、ステップＳ５７に進む。
【０１３４】
制御部１１０は、ステップＳ５３又はステップＳ５７後、検索されたノードのアドレスを参照アドレスとして設定し（ステップＳ５７）、設定された参照アドレスに対応するノードの参照項目が示す値を参照値として設定し（ステップＳ５８）、本処理を終了する。
【０１３５】
制御部１１０は、画像遷移先エリアＥ２２において選択された釦が１つ後釦Ｂ２２ｃでない場合（ステップＳ５４；Ｎｏ）、番号指定釦Ｂ２２ｅが選択されたと判別し、参照値を当該番号指定釦Ｂ２２ｅに入力された値に設定し（ステップＳ５９）、本処理を終了する。
【０１３６】
図１３に、サムネイル画像表示処理が実行されることにより表示されるサムネイル画像の単位の表を示す。縦の項目は、画像遷移単位エリアＥ２１において選択された釦に対応する画像遷移単位を示し、横の項目は、画像遷移先エリアＥ２２において選択された釦の種類を示す。
【０１３７】
画像遷移単位が部の場合、画像遷移先として先頭釦Ｂ２２ａが選択されると、プリントジョブにおいて最初に実行される部（先頭部）を構成する原稿ページ群のうち先頭に位置する原稿ページデータが属する用紙ページ（先頭用紙ページ）のサムネイル画像が表示される。１つ前釦Ｂ２２ｂが選択されると、現在サムネイル画像として表示されている用紙ページが属する部の１つ前の部の先頭用紙ページのサムネイル画像が表示される。１つ後釦Ｂ２２ｃが選択されると、現在サムネイル画像として表示されている用紙ページが属する部の１つ後の部の先頭用紙ページのサムネイル画像が表示される。最終釦Ｂ２２ｄが選択されると、プリントジョブにおいて最後に実行される部（最終部）の先頭用紙ページのサムネイル画像が表示される。番号指定釦Ｂ２２ｅが選択されると、番号指定釦Ｂ２２ｅに入力された番号に対応する部の先頭用紙ページのサムネイル画像が表示される。
【０１３８】
画像遷移単位が章の場合、画像遷移先として先頭釦Ｂ２２ａが選択されると、プリントジョブの先頭に位置する章の先頭用紙ページのサムネイル画像が表示される。１つ前釦Ｂ２２ｂが選択されると、現在サムネイル画像として表示されている用紙ページが属する章の１つ前の章の先頭用紙ページのサムネイル画像が表示される。１つ後釦Ｂ２２ｃが選択されると、現在サムネイル画像として表示されている用紙ページが属する章の１つ後の章の先頭用紙ページのサムネイル画像が表示される。最終釦Ｂ２２ｄが選択されると、プリントジョブにおいて最後に位置する章（最終章）の先頭用紙ページのサムネイル画像が表示される。番号指定釦Ｂ２２ｅが選択されると、番号指定釦Ｂ２２ｅに入力された番号に対応する章の先頭用紙ページのサムネイル画像が表示される。
【０１３９】
画像遷移単位が挿入紙の場合、画像遷移先として先頭釦Ｂ２２ａが選択されると、プリントジョブが実行される際に最初に挿入される挿入紙（１枚目の挿入紙）のサムネイル画像が表示される。１つ前釦Ｂ２２ｂが選択されると、現在サムネイル画像として表示されている挿入紙のサムネイル画像が表示される。１つ後釦Ｂ２２ｃが選択されると、現在サムネイル画像として表示されている挿入紙のサムネイル画像が表示される。最終釦Ｂ２２ｄが選択されると、プリントジョブにおいて最後に挿入される挿入紙（最終の挿入紙）のサムネイル画像が表示される。番号指定釦Ｂ２２ｅが選択されると、番号指定釦Ｂ２２ｅに入力された番号に対応する挿入番目の挿入紙のサムネイル画像が表示される。
【０１４０】
画像遷移単位がサブセットの場合、画像遷移先として先頭釦Ｂ２２ａが選択されると、プリントジョブが実行された際の最初の区切り（１つ目のサブセット）により区切られた原稿ページ群のうち先頭に位置する原稿ページデータが属する用紙ページ（先頭用紙ページ）のサムネイル画像が表示される。１つ前釦Ｂ２２ｂが選択されると、現在サムネイル画像として表示されている用紙ページが属するサブセットの１つ前のサブセットの先頭用紙ページのサムネイル画像が表示される。１つ後釦Ｂ２２ｃが選択されると、現在サムネイル画像として表示されている用紙ページが属するサブセットの１つ後のサブセットの先頭用紙ページのサムネイル画像が表示される。最終釦Ｂ２２ｄが選択されると、プリントジョブにおいて最終のサブセットの先頭用紙ページのサムネイル画像が表示される。番号指定釦Ｂ２２ｅが選択されると、番号指定釦Ｂ２２ｅに入力された番号に対応するサブセットの先頭用紙ページのサムネイル画像が表示される。
【０１４１】
画像遷移単位が原稿ページ単位の場合、画像遷移先として先頭釦Ｂ２２ａが選択されると、原稿ページ番号が最も小さいノードの原稿ページデータが属する用紙ページ、即ち、プリントジョブの先頭の原稿ページデータが属する用紙ページのサムネイル画像が表示される。１つ前釦Ｂ２２ｂが選択されると、現在サムネイル画像として表示されている用紙ページを構成する原稿ページデータのノードの原稿ページ番号が示す値を１差分した値の原稿ページ番号のノードの原稿ページデータが属する用紙ページ、即ち、現在サムネイル画像として表示されている用紙ページを構成する原稿ページデータの１つ前の原稿ページデータが属する用紙ページのサムネイル画像が表示される。１つ後釦Ｂ２２ｃが選択されると、現在サムネイル画像として表示されている用紙ページを構成する原稿ページデータのノードの原稿ページ番号が示す値を１加算した値の原稿ページ番号のノードの原稿ページデータが属する用紙ページ、即ち、現在サムネイル画像として表示されている用紙ページを構成する原稿ページデータの１つ後の原稿ページデータが属する用紙ページのサムネイル画像が表示される。最終釦Ｂ２２ｄが選択されると、原稿ページ番号が最も大きいノードの原稿ページデータが属する用紙ページ、即ち、プリントジョブの最終の原稿ページデータが属する用紙ページのサムネイル画像が表示される。番号指定釦Ｂ２２ｅが選択されると、番号指定釦Ｂ２２ｅに入力された番号に対応する原稿ページ番号のノードの原稿ページデータが属する用紙ページのサムネイル画像が表示される。
【０１４２】
画像遷移単位が用紙ページの場合、画像遷移先として先頭釦Ｂ２２ａが選択されると、用紙ページ番号が最も小さい値を含むノードの原稿ページデータから構成される用紙ページ、即ち、プリントジョブにおける先頭の用紙ページのサムネイル画像が表示される。１つ前釦Ｂ２２ｂが選択されると、現在サムネイル画像として表示されている用紙ページを構成する原稿ページデータのノードの用紙ページ番号が示す値を１差分した値の用紙ページ番号を含むノードの原稿ページデータから構成される用紙ページ、即ち、現在サムネイル表示されている用紙ページの１つ前の用紙ページのサムネイル画像が表示される。１つ後釦Ｂ２２ｃが選択されると、現在サムネイル画像として表示されている用紙ページを構成する原稿ページデータのノードの用紙ページ番号が示す値を１加算した値の用紙ページ番号を含むノードの原稿ページデータから構成される用紙ページ、即ち、現在サムネイル表示されている用紙ページの１つ後の用紙ページのサムネイル画像が表示される。最終釦Ｂ２２ｄが選択されると、用紙ページ番号が最も大きい値を含むノードの原稿ページデータから構成される用紙ページ、即ち、プリントジョブにおける最終の用紙ページのサムネイル画像が表示される。番号指定釦Ｂ２２ｅが選択されると、番号指定釦Ｂ２２ｅに入力された番号に対応する用紙ページ番号を含むノードの原稿ページデータから構成される用紙ページのサムネイル画像が表示される。
【０１４３】
従って、原稿ページ単位、用紙ページ単位に加え、部単位、章単位、挿入用紙単位、後処理の区切り単位（サブセット単位）でのサムネイル画像によるページ内容の確認作業を行なうことができる。
【０１４４】
以上のように、本実施の形態によれば、プリントジョブに設定された出力条件に基づくサムネイル画像の画像遷移単位の指示に応じて生成されたサムネイル画像を表示することができるため、サムネイル画像によるページ内容の確認作業の手間や時間の低減を図ることができ、使い勝手を向上させることができる。
【０１４５】
また、本発明は、上記実施の形態の内容に限定されるものではなく、本発明の主旨を逸脱しない範囲で適宜変更可能である。
【図面の簡単な説明】
【０１４６】
【図１】画像表示システムの構成を示す図である。
【図２】外部装置の内部構成図である。
【図３】セットアップ画面の例を示す図である。
【図４】プレビュー画面の例を示す図である。
【図５】画像形成装置の概略断面構成図である。
【図６】ジョブ設定画面の例を示す図である。
【図７】画像形成装置の制御ブロック図である。
【図８】ノードリストの例を示す図である。
【図９】サムネイル画像表示処理のメインフローチャートである。
【図１０】サムネイル画像表示処理のメインフローチャートでる（図９の続き）。
【図１１】参照値決定処理のフローチャートである。
【図１２】参照値決定処理のフローチャートである（図１１の続き）。
【図１３】サムネイル画像の単位の表を示す図である。
【符号の説明】
【０１４７】
１  外部装置
２  画像形成装置
１ａ  本体部
１ｂ  プリンタコントローラ
１１ｂ  コントローラ制御部
１２ｂ  ＤＲＡＭ制御ＩＣ
１３ｂ  画像メモリ
１４ｂ  ＬＡＮＩＦ
１１  制御部
１２  記憶部
１２ａ  プリンタドライバプログラム
１３  ＲＡＭ
１４  操作部
１５  表示部
１６  通信部
１７  バス
２０  画像読取部
２１  自動原稿送り部
２２  読取部
２２ａ  ＣＣＤ
３０  操作表示部
３１  タッチパネル
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理部
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ａ  画像表示システム
Ｂ１、Ｂ３  プレビュー釦
Ｂ２１ａ  部釦
Ｂ２１ｂ  章釦
Ｂ２１ｃ  挿入紙釦
Ｂ２１ｄ  サブセット釦
Ｂ２１ｅ  原稿ページ釦
Ｂ２１ｆ  用紙ページ釦
Ｂ２２ａ  先頭釦
Ｂ２２ｂ  １つ前釦
Ｂ２２ｃ  １つ後釦
Ｂ２２ｄ  最終釦
Ｂ２２ｅ  番号指定釦
ｄ  原稿
Ｅ１１  用紙設定エリア
Ｅ１２  出力設定エリア
Ｅ１３  プレビューエリア
Ｅ２１  画像遷移単位エリア
Ｅ２２  画像遷移先エリア
Ｅ２３  サムネイル画像表示エリア
Ｅ２４  カウンタ表示部
Ｅ３１  部数／印刷面エリア
Ｅ３２  原稿設定エリア
Ｅ３３  画質設定エリア
Ｅ３４  倍率設定エリア
Ｅ３５  搬出条件設定エリア
Ｅ３６  排紙設定エリア
Ｅ３７  応用設定エリア
Ｇ１  セットアップ画面
Ｇ２  プレビュー画面
Ｇ３  ジョブ設定画面
Ｋ１  原稿ページ番号
Ｋ２  用紙ページ番号
Ｋ３  部番号
Ｋ４  部区切り
Ｋ５  章番号
Ｋ６  挿入紙番号
Ｋ７  サブセット番号
Ｋ８  画像アドレス
Ｋ９  次ノードアドレス
Ｋ１０  前ノードアドレス
Ｎ  ネットワーク
ＮＲ  ノードリスト
Ｎ１、Ｎ２、Ｎ３…Ｎｎ  ノード
Ｐ  用紙
Ｔ１  原稿トレイ
Ｔ２  手差しトレイ
Ｔ３  排紙トレイ
ＴＮ  サムネイル画像
【図１】
2009080551.tif 000003
【図２】
2009080551.tif 000004
【図３】
2009080551.tif 000005
【図４】
2009080551.tif 000006
【図５】
2009080551.tif 000007
【図６】
2009080551.tif 000008
【図７】
2009080551.tif 000009
【図８】
2009080551.tif 000010
【図９】
2009080551.tif 000011
【図１０】
2009080551.tif 000012
【図１１】
2009080551.tif 000013
【図１２】
2009080551.tif 000014
【図１３】
2009080551.tif 000015